(57)【要約】【課題】機器を設置する際の配線方向によるケーブルへの負荷を減らし、且つ機器の落下事故や埃等の吸い込みによる事故を防ぐことが可能な機器収納キャビネットを提供する。【解決手段】上下側面板と底板とからなる本体と、この本体の開放された前面及び左右側面を閉塞すると共に係止手段を設けたカバーとからなり、上下側面板に両端部及び前面の断面が略Ｌ字となるように形成した曲げ部と、底板に上下左右の対向する位置に設けた孔部と、孔部に固定手段によって固定される機器取付部材とを備え、カバーは少なくとも曲げ部との当接箇所を断面が略コ字状となるように形成した当接部を備えた。【選択図】図３
2011119625.tif 000002
【特許請求の範囲】
【請求項１】
上下側面板と底板とからなる本体と、該本体の開放された前面及び左右側面を閉塞すると共に係止手段を設けたカバーとからなり、前記上下側面板に両端部及び前面の断面が略Ｌ字となるように形成した曲げ部と、前記底板に上下左右の対向する位置に設けた孔部と、該孔部に固定手段によって固定される機器取付部材とを備え、前記カバーは少なくとも前記曲げ部との当接箇所を断面が略コ字状となるように形成した当接部を備えたことを特徴とする機器収納キャビネット。
【発明の詳細な説明】
【技術分野】
【０００１】
本発明は、機器を収納するキャビネット、特にカバー差込式のキャビネットに関するものである。
【背景技術】
【０００２】
従来、機器収納キャビネットには特許文献１に示すような、上下側面板４２及び底板４３から成る本体４１と、前面板及び左右側面板を有し前記本体４１の開放された前面及び左右側面を閉塞するカバー４４とを備え、前記前面板の上下何れか一方に前記本体４１に係止操作する平面ハンドルを設け、他方に握持手段を設けたものがある。
【０００３】
しかし、特許文献１に記載されているような機器収納キャビネットでは、機器のケーブルが左右側面側から出る場合にはケーブルを曲げて出線する必要があり、ケーブルに負担がかかるという欠点がある。
【０００４】
又、カバーを装着する際にはカバーを傾ける必要があるため縦方向にスペースが必要となるという欠点があり、このためキャビネットを天井に密着させて取り付けることができないという欠点がある。
【０００５】
この改善策として、機器収納キャビネット自体を９０度回転させて設置する方法が考えられる。
【先行技術文献】
【特許文献】
【０００６】
【特許文献１】特開２００４−０３９７５０号公報
【発明の概要】
【発明が解決しようとする課題】
【０００７】
しかし、上記した方法では、機器取付面が下向きになる場合があり、落下事故に繋がる可能性があるという欠点がある。又、本来の取り付け方ではないため、機器が埃や異物を吸い込んで故障する恐れがあるという欠点がある。
【０００８】
又、上記方法でも、キャビネットを天井に密着させて取り付けることができないという欠点は解決されない。
【課題を解決するための手段】
【０００９】
上記した課題を解決するためになされた本発明の機器収納キャビネットは、上下側面板と底板とからなる本体と、この本体の開放された前面及び左右側面を閉塞すると共に係止手段を設けたカバーとからなり、上下側面板に両端部及び前面の断面が略Ｌ字となるように形成した曲げ部と、底板に上下左右の対向する位置に設けた孔部と、孔部に固定手段によって固定される機器取付部材とを備え、カバーは少なくとも曲げ部との当接箇所を断面が略コ字状となるように形成した当接部を備えた。
【発明の効果】
【００１０】
本発明の機器収納キャビネットによれば、底板の上下左右の対向する位置に孔部を設けたため、上下の孔部だけでなく左右の孔部を使って機器取付部材を取り付けることが可能である。又、機器のケーブルが左右側面側から出る場合であってもケーブルを曲げて出線する必要がなくなり、ケーブルにかかる負担がを少なくすることが可能である。
【００１１】
又、横入線に対応可能であるため収納する機器を通常通りの向きに設置でき、機器の落下事故を防ぐことが可能であり、又、機器が埃や異物を吸い込んで故障するという恐れを防ぐことが可能である。
【００１２】
又、カバーの着脱時にカバーが天井や壁と干渉しないので、設置制限をなくすことが可能である。
【図面の簡単な説明】
【００１３】
【図１】図１は本発明の実施例１における、通常使用する際の機器収納キャビネットの分解斜視図である。
【図２】図２は本発明の実施例１における、機器を横向きに設置する際の機器収納キャビネットの分解斜視図である。
【図３】図３は本発明の実施例１における、横入線に対応させた際の機器収納キャビネットの分解斜視図である。
【図４】図４はカバー装着時の図１におけるＡ部をＸ−Ｘで切った際の矢印方向から見た要部拡大断面図である。
【図５】図５は従来技術における、特許文献１に記載の電気機器収納箱の分解斜視図である。
【発明を実施するための形態】
【００１４】
本発明では、底板の上下左右に孔部を設け、機器取付部材を上下又は左右方向にも取り付け可能としたため、横入線であっても機器を通常通り設置でき、又、機器の落下事故や埃等の吸い込みによる事故の防止を可能とした。
【実施例１】
【００１５】
上下側面板２、１２、２２と底板３、１３、２３とからなる本体１、１１、２１と、この本体１、１１、２１の開放された前面及び左右側面を閉塞すると共に係止手段５、１５、２５を設けたカバー４、１４、２４とからなり、上下側面板２、１２、２２に両端部及び前面の断面が略Ｌ字となるように形成した曲げ部６、１６、２６と、底板３、１３、２３に上下左右の対向する位置に設けた孔部７、１７、２７と、孔部７、１７、２７に固定手段９、１９、２９によって固定される機器取付部材８、１８、２８とを備え、カバー４、１４、２４は少なくとも曲げ部６、１６、２６との当接箇所を断面が略コ字状となるように形成した当接部１０、２０、３０を備えた。カバー４、１４、２４には前面の上下二箇所に係止手段５、１５、２５を設け、前面にハンドル部、内側に留め金具を備え、ハンドルを回すことによって留め金具が回転し、上下側面板２、１２、２２にカバー４、１４、２４が係止・解除される。カバー４、１４、２４の上下・左右方向の寸法は本体１、１１、２１より小さい寸法とする。これにより、通常は上下の孔部７、１７、２７に機器取付部材８、１８、２８を固定し、機器取付面が本体１、１１、２１の左右側面に来るように使用することが可能となる。又、機器からの配線を直線的に出線する場合は、機器取付部材８、１８、２８を９０度回転させて左右の孔部７、１７、２７に固定し、機器取付面が本体１、１１、２１の入出線用開口を向くようにしての使用が可能となり、ケーブルを曲げて出線する必要がなくなるためケーブルにかかる負担がを少なくすることが可能となる。又、横入線を行う場合には、機器取付部材８、１８、２８を９０度回転させて左右の孔部７、１７、２７に固定し、機器取付面が本体１、１１、２１の入出線用開口を向くようにし、更に本体１、１１、２１を９０度回転させて設置することで機器の落下事故や埃等の吸い込みによる事故を防ぐことが可能となる。
【産業上の利用可能性】
【００１６】
機器取付部材を上下又は左右方向にも取り付け可能としたため、機器は設置する機器の配線方向に関わらず通常通りに設置でき、又、機器の落下事故や埃等の吸い込みによる事故を防ぐことが可能となる。
【符号の説明】
【００１７】
１、１１、２１、３１、４１    本体
２、１２、２２、３２、４２    上下側面板
３、１３、２３、４３    底板
４、１４、２４、３４、４４    カバー
５、１５、２５    係止手段
６、１６、２６、３６    曲げ部
７、１７、２７    孔部
８、１８、２８    機器取付部材
９、１９、２９    固定手段
１０、２０、３０、４０    当接部
【図１】
2011119625.tif 000003
【図２】
2011119625.tif 000004
【図３】
2011119625.tif 000005
【図４】
2011119625.tif 000006
【図５】
2011119625.tif 000007